(57)【要約】【課題】試刷り中や本刷り中に、白紙印刷を行うことなく、また壺返しを行うことなく、短時間で、インキローラ群に形成されているインキ膜厚分布を補正する。【解決手段】試刷り中や本刷り中に、インキ供給装置におけるインキローラ群６のインキ着ローラ６−１〜６−４を脱とするとともに、インキ呼び出しローラ５の呼び出し動作を停止し、インキローラ群６を上流側のローラ小群６Ａと下流側のローラ小群６Ｂとに分割し、上流側のローラ小群６Ａのローラ６Ａ２にインキ掻き取りブレード３０を対接させ、上流側のローラ小群６Ａ内のインキを掻き取って除去する。その後、インキローラ群６の連結を行って、インキローラ群６に修正したインキ膜厚分布を形成して行く。【選択図】  図４
2014094525.tif 000002
【特許請求の範囲】
【請求項１】
インキツボキーを複数備え、これらインキツボキーの開き量の調整によってインキツボ内よりインキツボローラに供給されるインキの量を調整し、このインキツボローラに供給されたインキをインキ呼び出しローラの呼び出し動作によりインキローラ群を介して刷版へ供給するインキ供給装置におけるインキローラ群のインキ膜厚分布を試刷り中又は本刷り中に補正するインキ膜厚分布の補正方法において、
試刷り中又は本刷り中に、前記インキローラ群のインキの流動経路の末端に位置するインキ着ローラを脱とするとともに、前記インキ呼び出しローラの呼び出し動作を停止し、前記インキローラ群を複数のローラ小群に分割するローラ群分割ステップと、
前記ローラ群分割ステップによって分割された複数のローラ小群のうちの一部のローラ小群内のインキをインキ掻き取り部材で掻き取って除去するインキ除去ステップと
を備えることを特徴とするインキ膜厚分布の補正方法。
【請求項２】
請求項１に記載されたインキ膜厚分布の補正方法において、
前記印刷機により印刷された印刷用紙の前記各インキツボキーに対応する範囲に印刷された各濃度測定用のパッチの濃度値を測定する濃度値測定ステップと、
前記測定された各濃度測定用のパッチの濃度値と予め設定されている基準濃度値との差および前記各インキツボキーに対応する範囲の前記刷版の絵柄面積率に基づいて前記各インキツボキーの予備呼び出し時の開き量を求める予備呼出時開量演算ステップと、
前記各インキツボキーの開き量を前記予備呼び出し時の開き量に設定する予備呼出時開量設定ステップと、
前記インキ除去ステップによって前記一部のローラ小群内のインキが除去された後、前記分割されている複数のローラ小群を連結して１つのインキローラ群に戻すローラ群連結ステップと、
前記ローラ群連結ステップによって前記インキローラ群が１つのインキローラ群に戻された状態で、かつ前記予備呼出時開量設定ステップによって前記各インキツボキーの開き量が前記予備呼び出し時の開き量に設定された状態で、前記インキ呼び出しローラの呼び出し動作を所定回数行い、前記１つに戻されたインキローラ群に予備呼び出し時のインキ膜厚分布を形成する予備呼出ステップと
を備えることを特徴とするインキ膜厚分布の補正方法。
【請求項３】
請求項２に記載されたインキ膜厚分布の補正方法において、
前記測定された各濃度測定用のパッチの濃度値と予め設定されている基準濃度値との差および前記各インキツボキーに対応する範囲の前記刷版の絵柄面積率に基づいて前記各インキツボキーの予備呼び出し後の印刷時の開き量を求める印刷時開量演算ステップと、
前記各インキツボキーの開き量を前記予備呼び出し後の印刷時の開き量に設定する印刷時開量設定ステップと、
前記予備呼出ステップによって前記インキローラ群に前記予備呼び出し時のインキ膜厚分布が形成された状態で、かつ前記印刷時開量設定ステップによって前記各インキツボキーの開き量が前記予備呼び出し後の印刷時の開き量に設定された状態で、前記インキ着ローラを着とし、前記刷版を使用しての印刷を再開する印刷再開ステップと
を備えることを特徴とするインキ膜厚分布の補正方法。
【請求項４】
インキツボキーを複数備え、これらインキツボキーの開き量の調整によってインキツボ内よりインキツボローラに供給されるインキの量を調整し、このインキツボローラに供給されたインキをインキ呼び出しローラの呼び出し動作によりインキローラ群を介して刷版へ供給するインキ供給装置におけるインキローラ群のインキ膜厚分布を試刷り中又は本刷り中に補正するインキ膜厚分布の補正装置において、
試刷り中又は本刷り中に、前記インキローラ群のインキの流動経路の末端に位置するインキ着ローラを脱とするとともに、前記インキ呼び出しローラの呼び出し動作を停止し、前記インキローラ群を複数のローラ小群に分割するローラ群分割手段と、
前記ローラ群分割手段によって分割された複数のローラ小群のうちの一部のローラ小群内のインキをインキ掻き取り部材で掻き取って除去するインキ除去手段と
を備えることを特徴とするインキ膜厚分布の補正装置。
【請求項５】
請求項４に記載されたインキ膜厚分布の補正装置において、
前記印刷機により印刷された印刷用紙の前記各インキツボキーに対応する範囲に印刷された各濃度測定用のパッチの濃度値を測定する濃度値測定手段と、
前記測定された各濃度測定用のパッチの濃度値と予め設定されている基準濃度値との差および前記各インキツボキーに対応する範囲の前記刷版の絵柄面積率に基づいて前記各インキツボキーの予備呼び出し時の開き量を求める予備呼出時開量演算手段と、
前記各インキツボキーの開き量を前記予備呼び出し時の開き量に設定する予備呼出時開量設定手段と、
前記インキ除去手段によって前記一部のローラ小群内のインキが除去された後、前記分割されている複数のローラ小群を連結して１つのインキローラ群に戻すローラ群連結手段と、
前記ローラ群連結手段によって前記インキローラ群が１つのインキローラ群に戻された状態で、かつ前記予備呼出時開量設定手段によって前記各インキツボキーの開き量が前記予備呼び出し時の開き量に設定された状態で、前記インキ呼び出しローラの呼び出し動作を所定回数行い、前記１つに戻されたインキローラ群に予備呼び出し時のインキ膜厚分布を形成する予備呼出手段と
を備えることを特徴とするインキ膜厚分布の補正装置。
【請求項６】
請求項５に記載されたインキ膜厚分布の補正装置において、
前記測定された各濃度測定用のパッチの濃度値と予め設定されている基準濃度値との差および前記各インキツボキーに対応する範囲の前記刷版の絵柄面積率に基づいて前記各インキツボキーの予備呼び出し後の印刷時の開き量を求める印刷時開量演算手段と、
前記各インキツボキーの開き量を前記予備呼び出し後の印刷時の開き量に設定する印刷時開量設定手段と、
前記予備呼出手段によって前記インキローラ群に前記予備呼び出し時のインキ膜厚分布が形成された状態で、かつ前記印刷時開量設定手段によって前記各インキツボキーの開き量が前記予備呼び出し後の印刷時の開き量に設定された状態で、前記インキ着ローラを着とし、前記刷版を使用しての印刷を再開する印刷再開手段と
を備えることを特徴とするインキ膜厚分布の補正装置。
【発明の詳細な説明】
【技術分野】
【０００１】
この発明は、インキ供給装置におけるインキローラ群に形成されているインキ膜厚分布を補正するインキ膜厚分布の補正方法および装置に関するものである。
【背景技術】
【０００２】
図３２に輪転印刷機における各色の印刷ユニット内のインカー（インキ供給装置）の要部を示す。同図において、１はインキツボ、２はインキツボ１に蓄えられたインキ、３はインキツボローラ、４（４−１〜４−ｎ）はインキツボローラ３の軸方向に複数並設して設けられたインキツボキー、５はインキ呼び出しローラ、６はインキローラ群、７は刷版、８は刷版７が装着された版胴であり、刷版７には絵柄が焼き付けられている。
【０００３】
このインキ供給装置は、インキツボキー４−１〜４−ｎの開度調整によってインキツボ１内のインキ２をインキツボローラ３に供給し、このインキツボローラ３に供給されたインキをインキ呼び出しローラ５の呼び出し動作によりインキローラ群６を介して刷版７へ供給する。この刷版７に供給されたインキが図示されていないゴム胴を介して印刷用紙に印刷される。なお、インキローラ群６のインキの流動経路の末端には、刷版７に接するインキ着ローラ６−１〜６−４が設けられている。
【０００４】
図３３にこの印刷機によって印刷された印刷物を示す。印刷物９には、絵柄領域９−１を除く余白部に、帯状のカラーバー９−２が印刷される。カラーバー９−２は、一般の４色刷りの場合、墨（スミ）、シアン（アイ）、マゼンタ（アカ）、イエロー（キ）の濃度測定用のパッチ（網点面積率１００％のベタパッチ）９ａ１，９ａ２，９ａ３，９ａ４を含む領域Ｓ１〜Ｓｎから構成される。領域Ｓ１〜Ｓｎは、印刷機における各色の印刷ユニットにおけるインキツボキー４−１〜４−ｎのキーゾーンに対応している。
【０００５】
〔色合わせ〕
各色の印刷ユニットに対しては基準の濃度値が予め設定されている。すなわち、スミ，アイ，アカ，キの各色に対して基準の濃度値が予め設定されており、印刷物９の印刷に際しては、各色の濃度値をこの基準濃度値に一致させるような色合わせ作業が行われる。この色合わせ作業は、印刷物９に印刷されたカラーバー９−２における各色の濃度測定用のパッチ９ａ（９ａ１，９ａ２，９ａ３，９ａ４）の濃度に基づいて、試刷り中や本刷り中に、不図示のインキ供給量制御装置によって行われる。
【０００６】
例えば、印刷物９における領域Ｓ１を代表して説明すると、試刷りや本刷りによって得られた印刷物９の各色の濃度測定用のパッチ９ａの濃度値を測定し、この測定した各色の濃度値と予め設定されている各色の基準濃度値との濃度差を求め、この求めた各色の濃度差より各色の印刷ユニットにおけるインキツボキー４−１の開き量の補正量（領域Ｓ１へのインキ供給量の補正量）を求め、この求めた補正量をフィードバック量として各色の印刷ユニットにおけるインキツボキー４−１の開き量を調整する。
【０００７】
同様にして、領域Ｓ２〜Ｓｎについても、各色の印刷ユニットにおけるインキツボキー４−２〜４−ｎの開き量の補正量（領域Ｓ２〜Ｓｎへのインキ供給量の補正量）を求め、この求めた補正量をフィードバック量として各色の印刷ユニットにおけるインキツボキー４−２〜４−ｎの開き量を調整する。そして、このインキツボキー４−１〜４−ｎの開き量を調整した状態で、直ぐに印刷を再開し、各色の濃度値が基準の濃度値となるまで同様動作を繰り返す。
【０００８】
しかしながら、このようなインキ供給量の調整方法では、試刷り中や本刷り中に印刷物の濃度が高くなりすぎた場合、インキツボキーの開き量を閉じるだけではインキ供給装置内の過剰なインキがなかなか減らず、多くの損紙が発生し、印刷資材が無駄になると共に、時間がかかり、稼働率が低下する、という問題があった。
【０００９】
このため、試刷り中や本刷り中のインキ供給装置内のインキ膜厚分布の補正を効率よく行うことを目的として、特許文献１に示された「インキ膜厚補正方法」や特許文献２に示された「インキ膜厚制御方法」が提案されている。
【００１０】
〔特許文献１（刷り減らし＋プレインキング２）〕
特許文献１に示されたインキ膜厚補正方法では、試刷り中や本刷り中にインキ供給装置内のインキ膜厚分布を補正する場合、インキ呼び出しローラ５の呼び出し動作を停止し、そのままの状態で一定枚数の印刷（白紙印刷）を行い、これによってインキ供給装置内のインキを減らし（刷り減らし）、インキローラ群６に上流から下流になるにしたがって薄くなる印刷中に必要とされる最低限のインキ膜厚分布Ｍａ（図３４（ａ）参照）、すなわち刷版７の絵柄のない部分に対応するインキ膜厚分布Ｍａを残し、この後、その残されたインキ膜厚分布Ｍａに修正されたインキ膜厚分布Ｍｂ（図３４（ｂ）参照）を重畳するようにする（プレインキング２）。
【００１１】
〔特許文献２（プレインキング（−）＝壺返し＋プレインキング１）〕
特許文献２に示されたインキ膜厚制御方法では、試刷り中や本刷り中にインキ供給装置内のインキ膜厚分布を補正する場合、全てのインキツボキー４−１〜４−ｎの開き量をゼロに設定し、その状態でインキ呼び出しローラ５の呼び出し動作を一定回数行い、インキ供給装置内に残っているインキを全てインキツボ１に戻し（壺返し）、この後、インキローラ群６に印刷中に必要される最低限のインキ膜厚分布Ｍａ（図３４（ａ）参照））を形成し（プレインキング１の第１ステップ）、この形成されたインキ膜厚分布Ｍａに修正されたインキ膜厚分布Ｍｂ（図３４（ｂ）参照）を重畳するようにする（プレインキング１の第２ステップ）。
【先行技術文献】
【特許文献】
【００１２】
【特許文献１】特開平１０−１６１９３号公報
【特許文献２】特開平１１−１８８８４４号公報
【特許文献３】特開昭５８−２０１００８号公報
【特許文献４】特開昭５８−２０１０１０号公報
【発明の概要】
【発明が解決しようとする課題】
【００１３】
しかしながら、特許文献１に示されたインキ膜厚の制御方法（刷り減らし＋プレインキング２）では、インキローラ群６上にインキ膜厚分布Ｍａを残す際、白紙印刷を行うため、紙が無駄になるという問題があった。
【００１４】
また、特許文献２に示されたインキ膜厚の制御方法（プレインキング（−）＝壺返し＋プレインキング１）では、インキローラ群６上の全てのインキをインキツボ１に戻し、ゼロから修正したインキ膜厚分布（Ｍａ＋Ｍｂ）を形成するため、時間がかかるという問題があった。また、この方法では、乳化したインキ（湿し水と練り合わされたインキ）をインキツボ１に戻すため、印刷障害が発生し、印刷資材が無駄になるという問題もあった。
【００１５】
本発明は、このような課題を解決するためになされたもので、その目的とするところは、試刷り中や本刷り中に、白紙印刷を行うことなく、また壺返しを行うことなく、短時間で、インキローラ群に形成されているインキ膜厚分布を補正することが可能なインキ膜厚分布の形成方法および装置を提供することにある。
【課題を解決するための手段】
【００１６】
このような目的を達成するために、本発明に係るインキ膜厚分布の補正方法は、試刷り中又は本刷り中に、インキローラ群のインキの流動経路の末端に位置するインキ着ローラを脱とするとともに、インキ呼び出しローラの呼び出し動作を停止し、インキローラ群を複数のローラ小群に分割するローラ群分割ステップと、ローラ群分割ステップによって分割された複数のローラ小群のうちの一部のローラ小群内のインキをインキ掻き取り部材で掻き取って除去するインキ除去ステップとを備えることを特徴とする（請求項１）。
【００１７】
この発明によれば、試刷り中又は本刷り中、インキ着ローラが脱とされた状態で、またインキ呼び出しローラの呼び出し動作が停止された状態で、インキローラ群が複数のローラ小群に分割される。そして、この分割された複数のローラ小群のうちの一部のローラ小群内のインキがブレードやスクレイパーによって掻き取って除去される。本発明では、インキローラ群を複数のローラ小群に分割するが、その数は２以上であればその数は幾つあってもよい。また、本発明では、分割された複数のローラ小群のうちの一部のローラ小群内のインキを除去するが、一部のローラ小群であればその数は複数であってもよい。
【００１８】
例えば、本発明において、２つのローラ小群に分割可能な構成とした場合、上流側のローラ小群と下流側のローラ小群とに分割される。そして、この分割されたローラ小群のうちの一部のローラ小群として、例えば上流側のローラ小群内のインキが除去される。この場合、上流側のローラ小群内のインキは、インキ呼び出しローラの呼び出し動作が停止されているので、壺返しすることはできない。また、上流側のローラ小群が下流側のローラ小群から切り離されているので、白紙印刷によって除去することもできない。そこで、本発明では、壺返しや白紙印刷ではなく、ブレードやスクレイパーによって掻き取るようにして、上流側のローラ小群内のインキを除去するものとする。
【００１９】
本発明は、さらに、印刷機により印刷された印刷用紙の各インキツボキーに対応する範囲に印刷された各濃度測定用のパッチの濃度値を測定する濃度値測定ステップと、測定された各濃度測定用のパッチの濃度値と予め設定されている基準濃度値との差および各インキツボキーに対応する範囲の刷版の絵柄面積率に基づいて各インキツボキーの予備呼び出し時の開き量を求める予備呼出時開量演算ステップと、各インキツボキーの開き量を予備呼び出し時の開き量に設定する予備呼出時開量設定ステップと、インキ除去ステップによって一部のローラ小群内のインキが除去された後、分割されている複数のローラ小群を連結して１つのインキローラ群に戻すローラ群連結ステップと、ローラ群連結ステップによってインキローラ群が１つのインキローラ群に戻された状態で、かつ予備呼出時開量設定ステップによって各インキツボキーの開き量が予備呼び出し時の開き量に設定された状態で、インキ呼び出しローラの呼び出し動作を所定回数行い、１つに戻されたインキローラ群に予備呼び出し時のインキ膜厚分布を形成する予備呼出ステップとを設けたことを特徴とする（請求項２）。
【００２０】
例えば、本発明において、２つのローラ小群に分割可能な構成とした場合、上流側のローラ小群と下流側のローラ小群とが連結されて１つのインキローラ群に戻された状態で、かつ各インキツボキーの開き量が予備呼び出し時の開き量に設定された状態で、インキ呼び出しローラの呼び出し動作を所定回数行うことによって、１つに戻されたインキローラ群に予備呼び出し時のインキ膜厚分布が形成される。
【００２１】
本発明は、さらに、測定された各濃度測定用のパッチの濃度値と予め設定されている基準濃度値との差および各インキツボキーに対応する範囲の刷版の絵柄面積率に基づいて各インキツボキーの予備呼び出し後の印刷時の開き量を求める印刷時開量演算ステップと、各インキツボキーの開き量を予備呼び出し後の印刷時の開き量に設定する印刷時開量設定ステップと、予備呼出ステップによってインキローラ群に予備呼び出し時のインキ膜厚分布が形成された状態で、かつ印刷時開量設定ステップによって各インキツボキーの開き量が予備呼び出し後の印刷時の開き量に設定された状態で、インキ着ローラを着とし、刷版を使用しての印刷を再開する印刷再開ステップとを設けたことを特徴とする（請求項３）。
【００２２】
例えば、本発明において、２つのローラ小群に分割可能な構成とした場合、上流側のローラ小群と下流側のローラ小群とを連結して１つのインキローラ群とし、この連結した１つのインキローラ群に予備呼び出し時のインキ膜厚分布を形成した後、各インキツボキーの開き量を予備呼び出し後の印刷時の開き量に設定した状態で、インキ着ローラを着として、刷版を使用しての印刷が再開される。これにより、予備呼び出しによってインキ膜厚分布の修正を速く行い、その後、予備呼び出し後の印刷時の開き量に戻して、すぐに正常な印刷物を印刷することが可能となる。
【００２３】
なお、本発明は、上述したインキ膜厚分布の補正方法を適用した装置としても構成することが可能である。本願の請求項４〜６の発明は、請求項１〜３のインキ膜厚分布の補正方法に係る発明を装置としたものである。
【発明の効果】
【００２４】
本発明によれば、試刷り中又は本刷り中に、インキローラ群のインキ流動経路の末端に位置するインキ着ローラを脱とするとともに、インキ呼び出しローラの呼び出し動作を停止し、インキローラ群を複数のローラ小群に分割し、この分割された複数のローラ小群のうちの一部のローラ小群内のインキをインキ掻き取り部材で掻き取って除去するようにしたので、一部のローラ小群内のインキをブレードやスクレイパーなどで掻き取って除去するようにして、試刷り中や本刷り中に、白紙印刷を行うことなく、また壺返しを行うことなく、短時間で、インキローラ群に形成されているインキ膜厚分布を補正することが可能となる。
【図面の簡単な説明】
【００２５】
【図１】本発明に係るインキ膜厚分布の補正方法の実施に用いるインキ供給量制御装置の一実施の形態を示すブロック図である。
【図２】このインキ供給量制御装置によって制御される印刷ユニット内のインキ供給装置の要部（インキローラ群を連結した状態（インキローラ群を分割する前の状態））を示す図である。
【図３】このインキ供給量制御装置によって制御される印刷ユニット内のインキ供給装置の要部（インキローラ群を分割した状態）を示す図である。
【図４】このインキ供給量制御装置によって制御される印刷ユニット内のインキ供給装置の要部（インキローラ群を分割し上流側のローラ小群内のインキをブレードで掻き取っている状態）を示す図である。
【図５】このインキ供給量制御装置におけるメモリの内容を分割して示す図である。
【図６】このインキ供給量制御装置におけるメモリの内容を分割して示す図である。
【図７】測色計の設置状況を示す側面図である。
【図８】このインキ供給量制御装置を用いての試刷り中のインキローラ群のインキ膜厚分布の補正過程を示す図である。
【図９】このインキ供給量制御装置の詳細な動作を説明するためのフローチャートである。
【図１０】図９に続くフローチャートである。
【図１１】図１０に続くフローチャートである。
【図１２】図１１に続くフローチャートである。
【図１３】図１２に続くフローチャートである。
【図１４】図１３に続くフローチャートである。
【図１５】図１４に続くフローチャートである。
【図１６】図１５に続くフローチャートである。
【図１７】図１６に続くフローチャートである。
【図１８】図１７に続くフローチャートである。
【図１９】図１５に続くフローチャートである。
【図２０】図１９に続くフローチャートである。
【図２１】図２０に続くフローチャートである。
【図２２】図２１に続くフローチャートである。
【図２３】図２２に続くフローチャートである。
【図２４】図２３に続くフローチャートである。
【図２５】図２４に続くフローチャートである。
【図２６】図２５に続くフローチャートである。
【図２７】インキツボローラ制御装置の内部構成の概略を示すブロック図である。
【図２８】インキツボローラ制御装置の処理動作を示すフローチャートである。
【図２９】インキツボキー制御装置の内部構成の概略を示すブロック図である。
【図３０】インキツボキー制御装置の処理動作を示すフローチャートである。
【図３１】図３０に続くフローチャートである。
【図３２】印刷機における各色の印刷ユニット内のインキ供給装置の要部を示す図である。
【図３３】印刷機により印刷された印刷物の概略を示す平面図である。
【図３４】インキ供給装置のインキローラ群上に形成されるインキ膜厚分布ＭａおよびＭｂを示す図である。
【発明を実施するための形態】
【００２６】
以下、本発明の実施の形態を図面に基づいて詳細に説明する。図１は本発明に係るインキ膜厚分布の補正方法の実施に用いるインキ供給量制御装置の一実施の形態を示すブロック図である。
【００２７】
このインキ供給量制御装置１００は、ＣＰＵ１０、ＲＡＭ１１、ＲＯＭ１２、入力装置１３、表示器１４、出力装置（プリンタ等）１５、プリセット開始スイッチ１６、試刷り開始スイッチ１７、濃度測定スイッチ１８、濃度修正スイッチ１９、印刷開始スイッチ２０、印刷機の原動モータ２１、原動モータドライバ２２、原動モータ用ロータリーエンコーダ２３、Ｄ／Ａ変換器２４、印刷機の原点位置検出器２５、印刷機の回転回数カウント用カウンタ２６、インキ呼び出し装置２７を備えている。
【００２８】
また、ローラ群分割・連結用エアシリンダ２８、ローラ群分割・連結用エアシリンダ用バルブ２９、インキ掻き取りブレード着脱用エアシリンダ３１、インキ掻き取りブレード着脱用エアシリンダ用バルブ３２、給紙装置３３、印刷ユニット３４、インキ着ローラ着脱用エアシリンダ３５、インキ着ローラ着脱用エアシリンダ用バルブ３６、試刷り枚数設定器３７、インキ掻き取り時の回転回数設定器３８、予備呼び出し動作時の回転回数設定器４０、印刷速度設定器４１、メモリ４２を備えている。
【００２９】
また、測色計４３、測色計移動用モータ４４、測色計移動用モータ用ロータリーエンコーダ４５、測色計移動用モータドライバ４６、測色計の現在位置検出用カウンタ４７、Ａ／Ｄ変換器４８、測色計原点位置検出器４９、入出力インターフェイス（Ｉ／Ｏ，Ｉ／Ｆ）５０−１〜５０−１３を備えている。
【００３０】
図２はこのインキ供給量制御装置１００によって制御される各印刷ユニット内のインキ供給装置の要部を示す図である。同図において、図３２と同一符号は図３２を参照して説明した構成要素と同一或いは同等構成要素を示し、その説明は省略する。このインキ供給装置において、インキローラ群６は同図に点線で示すラインＬ１を境として、上流側のローラ小群６Ａと下流側のローラ小群６Ｂとに分割可能とされている。
【００３１】
具体的には、上流側のローラ小群６Ａと下流側のローラ小群６Ｂとの間に位置するローラ６Ｃを支点Ｐ１を回動中心として揺動する揺動アーム５１の一端部に軸支させ、この揺動アーム５１の他端部にローラ群分割・連結用エアシリンダ２８を連結して設けている。なお、揺動アーム５１は、他と区別するためにここでは一点鎖線で示している。
【００３２】
この構造において、ローラ群分割・連結用エアシリンダ２８を伸長動作させると（図３参照）、揺動アーム５１が支点Ｐ１を回動中心として矢印Ａ方向へ揺動し、この揺動に伴ってローラ６Ｃの周面が上流側のローラ小群６Ａのインキ流動経路の最下端に位置するローラ６Ａ１の周面から離れ、またローラ６Ｃの周面が下流側のローラ小群６Ｂのインキ流動経路の最上端に位置するローラ６Ｂ１の周面から離れる。これにより、インキローラ群６が上流側のローラ小群６Ａと下流側のローラ小群６Ｂとに分割される。
【００３３】
この状態からローラ群分割・連結用エアシリンダ２８を縮退動作させると、揺動アーム５１が支点Ｐ１を回動中心として矢印Ｂ方向へ揺動し、この揺動に伴ってローラ６Ｃの周面が上流側のローラ小群６Ａのインキ流動経路の最下端に位置するローラ６Ａ１の周面に対接し、またローラ６Ｃの周面が下流側のローラ小群６Ｂのインキ流動経路の最上端に位置するローラ６Ｂ１の周面に対接する（図２参照）。これにより、上流側のローラ小群６Ａと下流側のローラ小群６Ｂとが連結され、１つのインキローラ群６に戻される。
【００３４】
また、インキローラ群６に対しては、上流側のローラ小群６Ａのローラ６Ａ２の周面に接して上流側のローラ小群６Ａ内のインキを掻き取るインキ掻き取りブレード３０と、このインキ掻き取りブレード３０によって掻き取られたインキを回収するインキ受け５２とが設けられている。インキ掻き取りブレード３０に対してはインキ掻き取りブレード着脱用エアシリンダ３１が設けられている。インキを掻き取る場合には、インキ掻き取りブレード着脱用エアシリンダ３１を縮退動作させて、インキ掻き取りブレード３０をローラ６Ａ２の周面に対接させる（図４参照）。インキ掻き取りブレード着脱用エアシリンダ３１を伸長動作させると、インキ掻き取りブレード３０がローラ６Ａ２の周面から離れる。
【００３５】
このインキ供給量制御装置１００において、ＣＰＵ１０は、インターフェイス５０−１〜５０−１３を介して与えられる各種入力情報を得て、ＲＡＭ１１やメモリ４２にアクセスしながら、ＲＯＭ１２に格納されたプログラムに従って動作する。
【００３６】
原動モータ用ロータリーエンコーダ２３は、印刷機の原動モータ２１の所定回転角毎に回転パルスを発生して、原動モータドライバ２２に出力する。印刷機の原点位置検出器２５は、印刷機の１回転毎の原点位置を検出し、原点位置検出信号を発生して印刷機の回転回数カウント用カウンタ２６に出力する。
【００３７】
インキ呼び出し装置２７はインキ呼び出しローラ５に対して設けられている。インキ呼び出し装置２７をオンとすると、インキ呼び出しローラ５の呼び出し動作が開始され、インキ呼び出し装置２７をオフとすると、インキ呼び出しローラ５の呼び出し動作が停止される。インキ着ローラ着脱用エアシリンダ３５はインキ着ローラ６−１〜６−４に対して設けられている。インキ着ローラ着脱用エアシリンダ３５を伸長動作させると、インキ着ローラ６−１〜６−４が着状態（刷版７に接した状態）となり、インキ着ローラ着脱用エアシリンダ３５を縮退動作させると、インキ着ローラ６−１〜６−４が脱状態（刷版７から離れた状態）となる。
【００３８】
図５および図６にメモリ４２の内容を分割して示す。メモリ４２にはメモリＭ１〜Ｍ２２が設けられる。メモリＭ１には試刷り枚数Ｐｘが記憶される。メモリＭ２にはインキ掻き取り時の印刷機の回転回数Ｎ１が記憶される。メモリＭ４には予備呼び出し動作時の印刷機の回転回数Ｎ３が記憶される。メモリＭ５には印刷速度Ｖｐが記憶される。メモリＭ６にはカウント値Ｎが記憶される。メモリＭ７には各インキツボキーに対応する範囲の絵柄面積率が記憶される。メモリＭ８にはインキツボキーの総数ｎが記憶される。メモリＭ９には絵柄面積率とインキツボキーの開き量との関係を示す絵柄面積率−インキツボキー開き量変換テーブルが記憶される。メモリＭ１０には各インキツボキーの開き量が記憶される。メモリＭ１１にはインキツボローラの回転量が記憶される。メモリＭ１２には印刷機の回転回数カウント用カウンタのカウント値が記憶される。
【００３９】
メモリＭ１３には測色計の現在位置検出用カウンタのカウント値が記憶される。メモリＭ１４には測色計の現在位置が記憶される。メモリＭ１５には、測色計によって測定すべき試刷りサンプルの各パッチの位置が記憶される。メモリＭ１６には測色計からの色データが記憶される。メモリＭ１７には試刷りサンプルの各パッチの濃度値が記憶される。メモリＭ１８には、基準濃度値が記憶される。メモリＭ１９には試刷りサンプルの各パッチの濃度値と基準濃度値との差（測定濃度差）が記憶される。メモリＭ２０には予備呼び出し時の各インキツボキーの開き量が記憶される。メモリＭ２１には各インキツボキーの修正した開き量（予備呼出し後の印刷時の開き量）が記憶される。メモリＭ２２には印刷機の低速速度ＶＬが記憶される。
【００４０】
測色計４３は、図７に示すように、支柱５３−１，５３−２間に設けられたボールネジ（送りねじ）５３−３に取り付けられている。ボールネジ５３−３は測色計移動用モータ４４によって正／逆回転する。このボールネジ５３−３の正／逆回転により、ボールネジ５３−３に案内されながら、測色計４３が支柱５３−１，５３−２間を移動する。測色計４３のヘッド部４３−１は測定台５３−４の測定対象が置かれる面５３−４ａに向けられている。
【００４１】
なお、図１において、２００はインキ供給装置におけるインキツボローラ３を駆動するインキツボローラ制御装置、３００−１〜３００−ｎはインキ供給装置におけるインキツボキー４−１〜４−ｎの開き量を制御するインキツボキー制御装置である。インキツボローラ制御装置２００およびインキツボキー制御装置３００−１〜３００−ｎは各色のインキ供給装置毎に設けられているが、この実施の形態では説明を簡単とするためにインキ供給装置は１つとする。すなわち、１つのインキ供給装置を代表して、その動作を説明する。
【００４２】
〔インキ供給量制御装置の概略的な動作〕
インキ供給量制御装置１００の詳細な動作の説明に入る前に、理解を容易とするために、その概略的な動作について説明しておく。
【００４３】
(１)試刷りを開始する。
(２)所定枚数の試刷り後、給紙を停止すると共に、インキ着ローラ６−１〜６−４を脱とし、刷版７を用いての印刷（試刷り）を停止する。この場合、インキローラ群６には、図８（ａ）に示すように、刷版７の絵柄に応じたインキ膜厚分布Ｍｃが残される。すなわち、試刷り中のインキ膜厚分布Ｍｃが残される。
【００４４】
(３)試刷りによって印刷された印刷物（試刷りサンプル）の各インキツボキー４−１〜４−ｎに対応する範囲に印刷された各濃度測定用のパッチの濃度値を測定する。
(４)測定された各濃度値測定用のパッチの濃度値と基準濃度値との差および各インキツボキー４−１〜４−ｎに対応する範囲の絵柄面積率から各インキツボキー４−１〜４−ｎの予備呼び出し時の開き量および修正した開き量（予備呼び出し後の印刷時の開き量）を求める。
【００４５】
(５)各インキツボキー４−１〜４−ｎの開き量を（４）で求めた予備呼び出し時の開き量に設定する。
(６)印刷機停止状態で、インキ呼び出しローラ５の呼び出し動作を停止し、インキローラ群６を上流側のローラ小群６Ａと下流側のローラ小群６Ｂとに分割する。これにより、インキローラ群６のインキ膜厚分布Ｍｃは、図８（ｂ）に示すように、上流側のローラ小群６Ａのインキ膜厚分布ＭｃＡと下流側のローラ小群６Ｂのインキ膜厚分布ＭｃＢとに分かれる。
【００４６】
(７)印刷機の回転速度を印刷速度まで増速し、インキ掻き取りブレード３０を上流側のローラ小群６Ａ内のローラ６Ａ２に着にし、その状態で印刷機を一定回転（インキ掻き取り時の回転回数Ｎ１）させ、上流側のローラ小群６Ａ内のインキを掻き取る。これにより、図８（ｃ）に示されるように、上流側のローラ小群６Ａのインキ膜厚分布ＭｃＡがほゞ零となる。この時、下流側のローラ小群６Ｂのインキ膜厚分布は、インキ掻き取り時の回転回数Ｎ１により均されて、平坦なインキ膜厚分布ＭｃＢ’となる。
【００４７】
(８)上流側のローラ小群６Ａと下流側のローラ小群６Ｂとを連結し、１つのインキローラ群６に戻す（図８（ｄ））。
(９)インキツボキー４−１〜４−ｎの開き量の予備呼び出し時の開き量への設定が完了していることを確認後、インキ呼び出しローラ５の呼び出し動作をオンにして印刷機を一定回転（予備呼び出し動作時の回転回数Ｎ３）させ、連結されたインキローラ群６に予備呼び出し時のインキ膜厚分布Ｍｄを形成する（図８（ｅ））。
【００４８】
(１０)各インキツボキー４−１〜４−ｎの開き量を（４）で求めた修正した開き量（予備呼び出し後の印刷時の開き量）に設定する。この場合、各インキツボキー４−１〜４−ｎの開き量が予備呼び出し後の印刷時の開き量とされるまで、印刷機を低速度で回転させながら待機するが、予備呼び出しによって形成されたインキ膜厚が平坦とならないように、上流側のローラ小群６Ａと下流側のローラ小群６Ｂとに再分割し（図８（ｆ））、各インキツボキー４−１〜４−ｎの開き量が予備呼び出し後の印刷時の開き量となった後、上流側のローラ小群６Ａと下流側のローラ小群６Ｂとを再連結させ１つのインキローラ群６に戻す。
【００４９】
よって、各インキツボキー４−１〜４−ｎの開き量を予備呼び出し後の印刷時の開き量とする間、インキローラ群６が空転してインキ膜厚が平坦になろうとするが、上流側のローラ小群６Ａと下流側のローラ小群６Ｂに分割されている為、インキ膜厚の厚い上流側のローラ小群６Ａ内及びインキ膜厚の薄い下流側のローラ小群６Ｂ内でそれぞれ平坦になり、連結した際、上流側のローラ群のインキ膜厚が厚く、下流側のローラ群のインキ膜厚が薄い状態が維持されるので、連結後、印刷時と同じようにインキを供給すると、上流側から下流側にインキが比較的早く流れ、所望のインキ膜厚分布が早期に達成される。なお、短時間で予備呼び出し後の印刷時の開き量とすることが可能であれば、この再分割、再連結の工程は必要ない。
【００５０】
(１１)インキ着ローラ６−１〜６−４を着とし、給紙を開始して、印刷（再試刷り）を開始する。
【００５１】
これにより、予備呼び出しによってインキ膜厚分布の修正を速く行い、その後、予備呼び出し後の印刷時の開き量に戻して、印刷中（再試刷り中）に、インキローラ群６に補正されたインキ膜厚分布Ｍｄ’（図８（ｇ））を速やかに形成するようにして、すぐに正常な印刷物を印刷することが可能となる。
【００５２】
〔インキ供給量制御装置の詳細な動作〕
〔データの入力〕
オペレータは、試刷りを開始するにあたって、試刷り枚数Ｐｘを入力する（図９：ステップＳ１０１）。また、インキ掻き取り時の回転回数Ｎ１、予備呼び出し動作時の回転回数Ｎ３、印刷速度Ｖｐを入力する（ステップＳ１０３、Ｓ１０５、Ｓ１０７）。
【００５３】
なお、この場合、試刷り枚数Ｐｘの入力は試刷り枚数設定器３７より行い、インキ掻き取り時の回転回数Ｎ１の入力はインキ掻き取り時の回転回数設定器３８より行い、予備呼び出し動作時の回転回数Ｎ３の入力は予備呼び出し動作時の回転回数設定器４０より行い、印刷速度Ｖｐの入力は印刷速度設定器４１より行う。
【００５４】
ＣＰＵ１０は、試刷り枚数設定器３７より入力された試刷り枚数ＰｘをメモリＭ１に格納し（ステップＳ１０２）、インキ掻き取り時の回転回数設定器３８より入力されたインキ掻き取り時の回転回数Ｎ１をメモリＭ２に格納し（ステップＳ１０４）、予備呼び出し動作時の回転回数設定器４０より入力された予備呼び出し動作時の回転回数Ｎ３をメモリＭ４に格納し（ステップＳ１０６）、印刷速度設定器４１より入力された印刷速度ＶｐをメモリＭ５に格納する（ステップＳ１０８）。
【００５５】
また、ＣＰＵ１０は、入力装置１３より入力された刷版７のインキツボキー４−１〜４−ｎに対応する範囲の絵柄面積率をメモリＭ７に格納する。なお、この実施の形態において、刷版７のインキツボキー４−１〜４−ｎに対応する範囲の絵柄面積率の測定には、本出願人による特許文献３や特許文献４に示されているような「絵柄面積率測定装置」を用い、この「絵柄面積率測定装置」を用いて測定した絵柄面積率を可搬型のメモリに書き込み、この絵柄面積率が書き込まれた可搬型のメモリを入力装置１３にセットすることによって、刷版７のインキツボキー４−１〜４−ｎに対応する範囲の絵柄面積率の入力を行う。なお、ＣＰＵ１０と「絵柄面積率測定装置」とをオンラインで結び、「絵柄面積率測定装置」から直接、刷版７のインキツボキー４−１〜４−ｎに対応する範囲の絵柄面積率を取り込むようにしてもよい。
【００５６】
ＣＰＵ１０は、入力装置１３に可搬型のメモリがセットされると、すなわちインキツボキー４−１〜４−ｎに対応する範囲の絵柄面積率が入力されると（図１０：ステップＳ１０９のＹＥＳ）、メモリＭ６内のカウント値ＮをＮ＝１として上書きし（ステップＳ１１０）、メモリＭ６からカウント値Ｎを読み出し（ステップＳ１１１）、Ｎ番目のインキツボキーに対応する範囲の絵柄面積率を可搬型のメモリから読み出して、メモリＭ７のＮ番目のインキツボキー用のアドレス位置に記憶させる（ステップＳ１１２）。
【００５７】
そして、メモリＭ６内のカウント値Ｎを読み出し（ステップＳ１１３）、そのカウント値Ｎに１を加算してメモリＭ６に上書きし（ステップＳ１１４）、メモリＭ８からインキツボキーの総数ｎを読み出し（ステップＳ１１５）、カウント値Ｎがインキツボキーの総数ｎを超えるまで（ステップＳ１１６のＹＥＳ）、ステップＳ１１１〜Ｓ１１６の処理動作を繰り返す。これにより、インキツボキー４−１〜４−ｎに対応する刷版７の各領域毎の絵柄面積率が可搬型のメモリから読み出され、メモリＭ７に格納されて行く。
【００５８】
〔インキツボキーの開き量のセット〕
次に、オペレータは、プリセット開始スイッチ１６をオンとする。プリセット開始スイッチ１６がオンとされると（ステップＳ１１７のＹＥＳ）、ＣＰＵ１０は、メモリＭ６内のカウント値ＮをＮ＝１として上書きし（図１１：ステップＳ１１８）、メモリＭ６からカウント値Ｎを読み出し（ステップＳ１１９）、メモリＭ７のＮ番目のインキツボキー用のアドレス位置より、Ｎ番目のインキツボキーに対応する範囲の絵柄面積率を読み出す（ステップＳ１２０）。
【００５９】
そして、メモリＭ９内の絵柄面積率−インキツボキー開き量変換テーブルを読み出し（ステップＳ１２１）、この絵柄面積率−インキツボキー開き量変換テーブルを用いて、Ｎ番目のインキツボキーに対応する範囲の絵柄面積率より、Ｎ番目のインキツボキーの開き量を求め、この求めたＮ番目のインキツボキーの開き量をメモリＭ１０のＮ番目のインキツボキー用のアドレス位置に記憶させると共に（ステップＳ１２２）、Ｎ番目のインキツボキー制御装置３００に送信する（ステップＳ１２３）。
【００６０】
そして、Ｎ番目のインキツボキー制御装置３００からＮ番目のインキツボキーの開き量の受信完了信号が送信されてきたことを確認し（ステップＳ１２４のＹＥＳ）、メモリＭ６内のカウント値Ｎを読み出し（ステップＳ１２５）、そのカウント値Ｎに１を加算してメモリＭ６に上書きし（ステップＳ１２６）、メモリＭ８からインキツボキーの総数ｎを読み出し（ステップＳ１２７）、カウント値Ｎがインキツボキーの総数ｎを超えるまで（ステップＳ１２８のＹＥＳ）、ステップＳ１１９〜Ｓ１２８の処理動作を繰り返す。
【００６１】
これにより、刷版７のインキツボキー４−１〜４−ｎに対応する範囲の絵柄面積率に対応するインキツボキー４−１〜４−ｎの開き量が求められ、メモリＭ１０に記憶されて行くと共に、インキツボキー制御装置３００−１〜３００−ｎに送信されて行く。
【００６２】
〔インキツボキーの開き量の設定が完了していることの確認〕
そして、ＣＰＵ１０は、メモリＭ６内のカウント値ＮをＮ＝１として上書きし（図１２：ステップＳ１２９）、メモリＭ６からカウント値Ｎを読み出し（ステップＳ１３０）、Ｎ番目のインキツボキー制御装置３００からのインキツボキーの開き量の設定完了信号の有無を確認する（ステップＳ１３１）。
【００６３】
Ｎ番目のインキツボキー制御装置３００からインキツボキーの開き量の設定完了信号が送信されてきたことを確認すると（ステップＳ１３１のＹＥＳ）、メモリＭ６内のカウント値Ｎを読み出し（ステップＳ１３２）、そのカウント値Ｎに１を加算してメモリＭ６に上書きし（ステップＳ１３３）、メモリＭ８からインキツボキーの総数ｎを読み出し（ステップＳ１３４）、カウント値Ｎがインキツボキーの総数ｎを超えるまで（ステップＳ１３５のＹＥＳ）、ステップＳ１３０〜Ｓ１３５の処理動作を繰り返す。
【００６４】
そして、カウント値Ｎがインキツボキーの総数ｎを超えると（ステップＳ１３５のＹＥＳ）、ＣＰＵ１０は、インキツボキーの開き量の設定が完了していると判断し、全てのインキツボキー制御装置３００（３００−１〜３００−ｎ）に、全インキツボキーの開き量設定完了信号を送信する（ステップＳ１３６）。
【００６５】
〔試刷り〕
次に、オペレータは、試刷り開始スイッチ１７をオンとする。試刷り開始スイッチ１７がオンとされると（ステップＳ１３７のＹＥＳ）、ＣＰＵ１０は、試刷りの処理を開始する。
【００６６】
この試刷りの処理において、ＣＰＵ１０は、メモリＭ１１に格納されているインキツボローラの回転量を読み出し（図１３：ステップＳ１３８）、その読み出したインキツボローラの回転量をインキツボローラ制御装置２００に送信する（ステップＳ１３９）。そして、インキツボローラ制御装置２００からのインキツボローラの回転量受信完了信号を受けて（ステップＳ１４０のＹＥＳ）、インキ呼び出し装置２７に動作信号を出力し（ステップＳ１４１）、インキ呼び出しローラ５の呼び出し動作を開始させる。
【００６７】
また、ＣＰＵ１０は、メモリＭ５より印刷速度Ｖｐを読み出し（ステップＳ１４２）、原動モータドライバ２２にＤ／Ａ変換器２４を介して回転指令を出力し（ステップＳ１４３）、印刷機の速度を印刷速度Ｖｐとする。また、給紙装置３３に給紙指令を出力し（ステップＳ１４４）、印刷機への給紙を開始する。また、印刷ユニット３４に印刷指令を出力するとともに（ステップＳ１４５）、インキ着ローラ着脱用エアシリンダ用バルブ３６に着信号を出力し（ステップＳ１４６）、インキ着ローラ６−１〜６−４を着とし、刷版７を用いての印刷（試刷り）を開始させる。
【００６８】
ＣＰＵ１０は、この試刷りを印刷機の回転回数がメモリＭ１中の試刷り枚数Ｐｘに達するまで続ける。すなわち、ＣＰＵ１０は、インキ着ローラ着脱用エアシリンダ用バルブ３６に着信号を出力した後（ステップＳ１４６）、印刷機の回転回数カウント用カウンタ２６にリセット信号およびイネーブル信号を出力し（ステップＳ１４７）、印刷機の回転回数カウント用カウンタ２６へのリセット信号の出力を停止させて（図１４：ステップＳ１４８）、印刷機の回転回数カウント用カウンタ２６の零からのカウント動作を開始させる。そして、印刷機の回転回数カウント用カウンタ２６のカウント値を読み出してメモリＭ１２に記憶し（ステップＳ１４９）、メモリＭ１中の試刷り枚数Ｐｘを読み出し（ステップＳ１５０）、印刷機の回転回数カウント用カウンタ２６のカウント値が試刷り枚数Ｐｘに達するまで（ステップＳ１５１のＹＥＳ）、ステップＳ１４９〜Ｓ１５１の処理動作を繰り返す。
【００６９】
そして、ＣＰＵ１０は、印刷機の回転回数カウント用カウンタ２６のカウント値が試刷り枚数Ｐｘに達した時点で（ステップＳ１５１のＹＥＳ）、給紙装置３３に給紙停止指令を出力し、給紙を停止させる（ステップＳ１５２）。また、インキ着ローラ着脱用エアシリンダ用バルブ３６に脱信号を出力し（ステップＳ１５３）、インキ着ローラ６−１〜６−４を脱とする。また、印刷ユニット３４に印刷停止指令を出力すると共に（ステップＳ１５４）、原動モータドライバ２２に停止指令を出力し（ステップＳ１５５）、印刷機を停止させる。
【００７０】
この場合、インキローラ群６には、図８（ａ）に示すように、刷版７の絵柄に応じたインキ膜厚分布Ｍｃが残される。すなわち、試刷り中のインキ膜厚分布Ｍｃが残される。
【００７１】
〔濃度測定〕
オペレータは、刷り上がった印刷物の中から１枚を抜き取り、測定台５３−４（図７）上に試刷りサンプル９としてセットする。このセット状態において、試刷りサンプル９のカラーバー９−２は、測色計４３のヘッド部４３−１の下面に位置する。
【００７２】
この状態で、オペレータは、濃度測定スイッチ１８をオンとする。濃度測定スイッチ１８がオンとされると（図１５：ステップＳ１５６のＹＥＳ）、ＣＰＵ１０は、濃度の測定処理を開始する。図１６〜図１８に濃度の測定処理のフローチャートを示す。
【００７３】
〔色データの採取〕
この濃度測定の処理において、ＣＰＵ１０は、測色計移動用モータドライバ４６に正転信号を出力して、測色計移動用モータ４４を正転させる（ステップＳ１５７）。この測色計移動用モータ４４の正転により、ボールネジ５３−３が正転し、このボールネジ５３−３に案内されて測色計４３が支柱５３−１に接する原点位置から支柱５３−２方向へ向けて移動する。
【００７４】
ＣＰＵ１０は、メモリＭ６内のカウント値ＮをＮ＝１として上書きし（ステップＳ１５８）、測色計の現在位置検出用カウンタ４７のカウント値を読み出してメモリＭ１３に記憶し（ステップＳ１５９）、この読み出したカウント値より測色計４３の現在位置を演算してメモリＭ１４に記憶し（ステップＳ１６０）、メモリＭ６内のカウント値Ｎを読み出し（ステップＳ１６１）、メモリＭ１５中の測定すべき試刷りサンプルのＮ番目のパッチの位置を読み出し（ステップＳ１６２）、測色計４３の現在位置がその読み出したＮ番目のパッチの位置に達したときに（ステップＳ１６３のＹＥＳ）、測色計４３に測定指令信号を出力し（ステップＳ１６４）、その位置に位置する試刷りサンプル９のパッチ９ａの色データをＡ／Ｄ変換器４８を介して測色計４３により採取し、採取した色データをメモリＭ１６のＮ番目のインキツボキー用のアドレス位置に記憶させる（図１７：ステップＳ１６５，Ｓ１６６）。
【００７５】
そして、メモリＭ６からカウント値Ｎを読み出し（ステップＳ１６７）、そのカウント値Ｎに１を加算してメモリＭ６に上書きし（ステップＳ１６８）、メモリＭ８からインキツボキーの総数ｎを読み出し（ステップＳ１６９）、カウント値Ｎがインキツボキーの総数ｎを超えるまで（ステップＳ１７０のＹＥＳ）、ステップＳ１５９〜Ｓ１７０の処理動作を繰り返す。これにより、メモリＭ１５に記憶されているＮ番目のパッチの位置に達する毎に、その位置に位置する試刷りサンプル９のパッチ９ａの色データが測色計４３により採取され、採取した色データがメモリＭ１６に格納されて行く。
【００７６】
ＣＰＵ１０は、試刷りサンプル９からの色データの採取を完了すると（ステップＳ１７０のＹＥＳ）、測色計移動用モータ４４の正転を停止させる（ステップＳ１７１）。そして、測色計移動用モータ４４を逆転させ（ステップＳ１７２）、測色計原点位置検出器４９の出力がＯＮとなって（ステップＳ１７３のＹＥＳ）、測色計４３が原点位置に復帰した後、測色計移動用モータ４４の逆転を停止させる（ステップＳ１７４）。
【００７７】
〔濃度差の算出〕
次に、ＣＰＵ１０は、メモリＭ６内のカウント値ＮをＮ＝１として上書きし（図１８：ステップＳ１７５）、メモリＭ６からカウント値Ｎを読み出し（ステップＳ１７６）、メモリＭ１６のＮ番目のインキツボキー用のアドレス位置よりＮ番目のインキツボキーに対応する色データを読み出し（ステップＳ１７７）、この読み出した色データより試刷りサンプル９のＮ番目のインキツボキーに対応するパッチの濃度値を算出し、メモリＭ１７のＮ番目のインキツボキー用のアドレス位置に記憶させる（ステップＳ１７８）。
【００７８】
そして、メモリＭ１８から基準濃度値を読み出し（ステップＳ１７９）、Ｎ番目のインキツボキーに対応するパッチの濃度値より基準濃度値を減算し、これを試刷りサンプル９のＮ番目のインキツボキーに対応するパッチの測定濃度差としてメモリＭ１９のＮ番目のインキツボキー用のアドレス位置に記憶させると共に（ステップＳ１８０）、その測定濃度差を表示器１４に表示する（ステップＳ１８１）。
【００７９】
そして、メモリＭ６内のカウント値Ｎを読み出し（ステップＳ１８２）、そのカウント値Ｎに１を加算してメモリＭ６に上書きし（ステップＳ１８３）、メモリＭ８からインキツボキーの総数ｎを読み出し（ステップＳ１８４）、カウント値Ｎがインキツボキーの総数ｎを超えるまで（ステップＳ１８５のＹＥＳ）、ステップＳ１７６〜Ｓ１８５の処理動作を繰り返す。これにより、試刷りサンプル９のインキツボキー４−１〜４−ｎに対応する各パッチの測定濃度差がメモリＭ１９に記憶されて行く。
【００８０】
なお、本実施の形態では、測色計４３として分光計を使用しており、濃度計で各色のベタパッチを測定する時に用いるフィルタの各波長の透過率を分光計からの各波長の出力値に掛け、それらを合計することによって各色の濃度値を求めるようにしている。
【００８１】
〔濃度の修正〕
次に、オペレータは、濃度修正スイッチ１９をオンとする。濃度修正スイッチ１９がオンとされると（図１５：ステップＳ１８７のＹＥＳ）、ＣＰＵ１０は、濃度の修正処理を開始する。図１９〜図２６に濃度の修正処理のフローチャートを示す。
【００８２】
〔インキツボキーの予備呼び出し時の開き量および修正した開き量（予備呼出し後の印刷時の開き量）の算出〕
ＣＰＵ１０は、濃度修正スイッチ１９がオンとされると（ステップＳ１８７のＹＥＳ）、メモリＭ６内のカウント値ＮをＮ＝１として上書きし（図１９：ステップＳ１８８）、メモリＭ６からカウント値Ｎを読み出し（ステップＳ１８９）、メモリＭ１９から試刷りサンプル９のＮ番目のインキツボキーに対応するパッチの測定濃度差をΔＤNとして読み出し（ステップＳ１９０）、メモリＭ７からＮ番目のインキツボキーに対応する範囲の絵柄面積率をＳNとして読み出し（ステップＳ１９１）、下記（１）式を用いて、Ｎ番目のインキツボキーの予備呼び出し時の開き量θN’を算出し、メモリＭ２０のＮ番目のインキツボキー用のアドレス位置に記憶させる（ステップＳ１９２）。また、下記（２）式を用いて、Ｎ番目のインキツボキーの修正した開き量（予備呼出し後の印刷時の開き量）θN”を算出し、メモリＭ２１のＮ番目のインキツボキー用のアドレス位置に記憶させる（ステップＳ１９３）。
【００８３】
θN’＝α・ΔＤN・ＳN・β  ・・・・（１）
θN”＝ＳN−α・ΔＤN・ＳN  ・・・・（２）
【００８４】
なお、上記（１）式および（２）式において、αは予め定められた補正係数である。また、上記（１）において、βはインキツボローラ３の現在の回転量をインキツボローラ３の基準の回転量で除して得られる補正係数である。
【００８５】
〔インキツボキーの予備呼び出し時の開き量への設定〕
そして、ＣＰＵ１０は、Ｎ番目のインキツボキー制御装置３００にＮ番目のインキツボキーの予備呼び出し時の開き量θN’を送信し（ステップＳ１９４）、Ｎ番目のインキツボキー制御装置３００からのＮ番目のインキツボキーの開き量受信完了信号を受けて（ステップＳ１９５のＹＥＳ）、メモリＭ６からカウント値Ｎを読み出し（ステップＳ１９６）、そのカウント値Ｎに１を加算してメモリＭ６に上書きし（ステップＳ１９７）、メモリＭ８からインキツボキーの総数ｎを読み出し（ステップＳ１９８）、カウント値Ｎがインキツボキーの総数ｎを超えるまで（ステップＳ１９９のＹＥＳ）、ステップＳ１８９〜Ｓ１９９の処理動作を繰り返す。
【００８６】
これにより、メモリＭ２０にインキツボキー４−１〜４−ｎの予備呼び出し時の開き量θ１’〜θｎ’が記憶され、メモリＭ２１にインキツボキー４−１〜４−ｎの修正した開き量（予備呼出し後の印刷時の開き量）θ１”〜θｎ”が記憶され、インキツボキー制御装置３００−１〜３００−ｎに予備呼び出し時の開き量θ１’〜θｎ’が送信されて行く。
【００８７】
〔インキローラ群の分割〕
次に、ＣＰＵ１０は、インキ呼び出し装置２７に動作停止信号を出力し（図２０：ステップＳ２００）、インキ呼び出しローラ５の呼び出し動作を停止させる。そして、ローラ群分割・連結用エアシリンダ用バルブ２９に分割信号を出力し（ステップＳ２０１）、インキローラ群６を上流側のローラ小群６Ａと下流側のローラ小群６Ｂとに分割させる（図３参照）。
【００８８】
これにより、インキローラ群６のインキ膜厚分布Ｍｃは、図８（ｂ）に示すように、上流側のローラ小群６Ａのインキ膜厚分布ＭｃＡと下流側のローラ小群６Ｂのインキ膜厚分布ＭｃＢとに分かれる。
【００８９】
〔上流側のローラ小群内のインキの掻き取り〕
次に、ＣＰＵ１０は、メモリＭ５から印刷速度Ｖｐを読み出し（ステップＳ２０２）、原動モータドライバ２２にＤ／Ａ変換器２４を介して回転指令を出力する（ステップＳ２０３）。これにより、印刷機が回転し始め、その速度が印刷速度Ｖｐまで上昇する。そして、ＣＰＵ１０は、インキ掻き取りブレード着脱用エアシリンダ用バルブ３２に着信号を出力する（ステップＳ２０４）。これにより、図４に示されるように、インキ掻き取りブレード着脱用エアシリンダ３１が縮退動作し、インキ掻き取りブレード３０がローラ６Ａ２の周面に対接し、上流側のローラ小群６Ａ内のインキの掻き取り（インキの除去）が開始される。
【００９０】
ＣＰＵ１０は、この上流側のローラ小群６Ａ内のインキの除去を、印刷機の回転回数がメモリＭ２中のインキ掻き取り時の回転回数Ｎ１に達するまで続ける。すなわち、ＣＰＵ１０は、インキ掻き取りブレード着脱用エアシリンダ用バルブ３２に着信号を出力した後（ステップＳ２０４）、印刷機の回転回数カウント用カウンタ２６にリセット信号およびイネーブル信号を出力し（ステップＳ２０５）、印刷機の回転回数カウント用カウンタ２６へのリセット信号の出力を停止させて（ステップＳ２０６）、印刷機の回転回数カウント用カウンタ２６の零からのカウント動作を開始させる。そして、印刷機の回転回数カウント用カウンタ２６のカウント値を読み出してメモリＭ１２に記憶し（ステップＳ２０７）、メモリＭ２中のインキ掻き取り時の回転回数Ｎ１を読み出し（ステップＳ２０８）、印刷機の回転回数カウント用カウンタ２６のカウント値がインキ掻き取り時の回転回数Ｎ１に達するまで（ステップＳ２０９のＹＥＳ）、ステップＳ２０７〜Ｓ２０９の処理動作を繰り返す。
【００９１】
そして、印刷機の回転回数カウント用カウンタ２６のカウント値がインキ掻き取り時の回転回数Ｎ１に達した時点で（ステップＳ２０９のＹＥＳ）、インキ掻き取りブレード着脱用エアシリンダ用バルブ３２に脱信号を出力し（図２１：ステップＳ２１０）、上流側のローラ小群６Ａ内のインキの除去を完了させる。
【００９２】
これにより、図８（ｃ）に示されるように、上流側のローラ小群６Ａのインキ膜厚分布ＭｃＡがほゞ零となる。この時、下流側のローラ小群６Ｂのインキ膜厚分布は、インキ掻き取り時の回転回数Ｎ１により均されて、平坦なインキ膜厚分布ＭｃＢ’となる。
【００９３】
〔インキローラ群の連結〕
次に、ＣＰＵ１０は、ローラ群分割・連結用エアシリンダ用バルブ２９に連結信号を出力し（ステップＳ２１１）、上流側のローラ小群６Ａと下流側のローラ小群６Ｂとを連結し（図２参照）、１つのインキローラ群６に戻す（図８（ｄ））。
【００９４】
〔インキツボキーの開き量の設定が完了していることの確認〕
次に、ＣＰＵ１０は、メモリＭ６内のカウント値ＮをＮ＝１として上書きし（ステップＳ２１２）、メモリＭ６からカウント値Ｎを読み出し（ステップＳ２１３）、Ｎ番目のインキツボキー制御装置３００からのインキツボキーの開き量の設定完了信号の有無を確認する（ステップＳ２１４）。
【００９５】
Ｎ番目のインキツボキー制御装置３００からインキツボキーの開き量の設定完了信号が送信されてきたことを確認すると（ステップＳ２１４のＹＥＳ）、メモリＭ６内のカウント値Ｎを読み出し（ステップＳ２１５）、そのカウント値Ｎに１を加算してメモリＭ６に上書きし（ステップＳ２１６）、メモリＭ８からインキツボキーの総数ｎを読み出し（ステップＳ２１７）、カウント値Ｎがインキツボキーの総数ｎを超えるまで（ステップＳ２１８のＹＥＳ）、ステップＳ２１３〜Ｓ２１８の処理動作を繰り返す。
【００９６】
そして、カウント値Ｎがインキツボキーの総数ｎを超えると（ステップＳ２１８のＹＥＳ）、ＣＰＵ１０は、インキツボキーの開き量の設定が完了していると判断し、全てのインキツボキー制御装置３００（３００−１〜３００−ｎ）に、全インキツボキーの開き量設定完了信号を送信する（ステップＳ２１９）。
【００９７】
〔予備呼び出し〕
ＣＰＵ１０は、全てのインキツボキー制御装置３００に全インキツボキーの開き量設定完了信号を送信した後（ステップＳ２１９）、メモリＭ１１に格納されているインキツボローラの回転量を読み出し（ステップＳ２２０）、その読み出したインキツボローラの回転量をインキツボローラ制御装置２００に送信する（図２２：ステップＳ２２１）。そして、インキツボローラ制御装置２００からのインキツボローラの回転量受信完了信号を受けて（ステップＳ２２２のＹＥＳ）、インキ呼び出し装置２７に動作信号を出力し（ステップＳ２２３）、インキ呼び出しローラ５の呼び出し動作を開始させる。ＣＰＵ１０は、このインキ呼び出しローラ５の呼び出し動作を、印刷機の回転回数がメモリＭ４中の予備呼び出し動作時の回転回数Ｎ３に達するまで続ける（ステップＳ２２４〜Ｓ２２８）。
【００９８】
すなわち、印刷機の回転回数カウント用カウンタ２６にリセット信号およびイネーブル信号を出力し（ステップＳ２２４）、印刷機の回転回数カウント用カウンタ２６へのリセット信号の出力を停止させて（ステップＳ２２５）、印刷機の回転回数カウント用カウンタ２６の零からのカウント動作を開始させる。そして、印刷機の回転回数カウント用カウンタ２６のカウント値を読み出してメモリＭ１２に記憶し（ステップＳ２２６）、メモリＭ４中の予備呼び出し動作時の回転回数Ｎ３を読み出し（ステップＳ２２７）、印刷機の回転回数カウント用カウンタ２６のカウント値が予備呼び出し動作時の回転回数Ｎ３に達するまで（ステップＳ２２８のＹＥＳ）、ステップＳ２２６〜Ｓ２２８の処理動作を繰り返す。
【００９９】
これにより、１つに戻されたインキローラ群６に、予備呼び出し時のインキ膜厚分布Ｍｄが形成される（図８（ｅ））。
【０１００】
この予備呼び出しでは、上記（１）式に従って、絵柄面積率の小さいところ（インキツボキーの開き量の小さいところ）では、同じ濃度差でもインキ供給量の変化が小さくなり、絵柄面積率の大きいところ（インキツボキーの開き量の大きいところ）では、同じ濃度差でもインキ供給量の変化が大きくなる。これにより、各インキツボキーに対応する範囲の絵柄面積率の大小に拘わらず、そこへのインキの供給量を適切な値とし、インキ膜厚分布の修正を速く行うことが可能となる。
【０１０１】
また、この実施の形態では、上記の（１）式で示されているように、予備呼出し時のインキツボキーの開き量θN’（Ｎ＝１〜ｎ）の算出に際し、インキツボローラの回転量による補正係数βも用いている。これにより、インキツボキーの予備呼出し時の開き量θN’（Ｎ＝１〜ｎ）をさらに正確とし、インキ膜厚分布の修正をより速く行うことが可能となる。
【０１０２】
なお、この実施の形態では、予備呼出し時のインキツボキーの開き量θN’の算出に際し、インキツボローラの回転量による補正係数βを用いるようにしたが、必ずしもこの補正係数βは用いなくてもよい。
【０１０３】
〔インキローラ群の再分割〕
ＣＰＵ１０は、印刷機の回転回数カウント用カウンタ２６のカウント値が予備呼び出し動作時の回転回数Ｎ３に達すると（ステップＳ２２８のＹＥＳ）、インキ呼び出し装置２７に動作停止信号を出力し（ステップＳ２２８−１）、インキ呼び出しローラ５の呼び出し動作を停止させる。そして、ローラ群分割・連結用エアシリンダ用バルブ２９に分割信号を出力し（ステップＳ２２９）、インキローラ群６を上流側のローラ小群６Ａと下流側のローラ小群６Ｂとに再分割させたうえ（図８（ｆ）参照）、メモリＭ２２から低速速度ＶＬを読み出し（ステップＳ２３０）、原動モータドライバ２２に回転指令を出力する（ステップＳ２３１）。これにより、インキ呼び出しローラ５の呼び出し動作が停止し、インキローラ群６が上流側のローラ小群６Ａと下流側のローラ小群６Ｂとに分割された状態で、印刷機が低速速度ＶＬで回転する。
【０１０４】
〔インキツボキーの修正した開き量（予備呼出し後の印刷時の開き量）への設定〕
ＣＰＵ１０は、この低速速度ＶＬでの回転中、メモリＭ６内のカウント値ＮをＮ＝１として上書きし（図２３：ステップＳ２３２）、メモリＭ６からカウント値Ｎを読み出し（ステップＳ２３３）、メモリＭ２１よりＮ番目のインキツボキーの修正した開き量θN”を読み出して（ステップＳ２３４）、Ｎ番目のインキツボキー制御装置３００に送信する（ステップＳ２３５）。
【０１０５】
そして、Ｎ番目のインキツボキー制御装置３００からのＮ番目のインキツボキーの開き量受信完了信号を受けて（ステップＳ２３６のＹＥＳ）、メモリＭ６からカウント値Ｎを読み出し（ステップＳ２３７）、そのカウント値Ｎに１を加算してメモリＭ６に上書きし（ステップＳ２３８）、メモリＭ８からインキツボキーの総数ｎを読み出し（ステップＳ２３９）、カウント値Ｎがインキツボキーの総数ｎを超えるまで（ステップＳ２４０のＹＥＳ）、ステップＳ２３３〜Ｓ２４０の処理動作を繰り返す。これにより、インキツボキー制御装置３００−１〜３００−ｎに修正した開き量θ１”〜θｎ”が送信されて行く。
【０１０６】
〔インキツボキーの開き量の設定が完了していることの確認〕
次に、ＣＰＵ１０は、メモリＭ６内のカウント値ＮをＮ＝１として上書きし（図２４：ステップＳ２４１）、メモリＭ６からカウント値Ｎを読み出し（ステップＳ２４２）、Ｎ番目のインキツボキー制御装置３００からのインキツボキーの開き量の設定完了信号の有無を確認する（ステップＳ２４３）。
【０１０７】
Ｎ番目のインキツボキー制御装置３００からインキツボキーの開き量の設定完了信号が送信されてきたことを確認すると（ステップＳ２４３のＹＥＳ）、メモリＭ６内のカウント値Ｎを読み出し（ステップＳ２４４）、そのカウント値Ｎに１を加算してメモリＭ６に上書きし（ステップＳ２４５）、メモリＭ８からインキツボキーの総数ｎを読み出し（ステップＳ２４６）、カウント値Ｎがインキツボキーの総数ｎを超えるまで（ステップＳ２４７のＹＥＳ）、ステップＳ２４２〜Ｓ２４７の処理動作を繰り返す。
【０１０８】
そして、ＣＰＵ１０は、カウント値Ｎがインキツボキーの総数ｎを超えると（ステップＳ２４７のＹＥＳ）、インキツボキーの開き量の設定が完了していると判断し、全てのインキツボキー制御装置３００（３００−１〜３００−ｎ）に、全インキツボキーの開き量設定完了信号を送信する（ステップＳ２４８）。
【０１０９】
〔インキローラ群の再連結〕
ＣＰＵ１０は、全てのインキツボキー制御装置３００に全インキツボキーの開き量設定完了信号を送信した後（ステップＳ２４８）、ローラ群分割・連結用エアシリンダ用バルブ２９に連結信号を出力し（図２５：ステップＳ２４９）、上流側のローラ小群６Ａと下流側のローラ小群６Ｂとを再連結し、１つのインキローラ群６に戻す。
【０１１０】
〔再試刷り〕
そして、ＣＰＵ１０は、メモリＭ１１に格納されているインキツボローラの回転量を読み出し（ステップＳ２５０）、その読み出したインキツボローラの回転量をインキツボローラ制御装置２００に送信し（ステップＳ２５１）、インキツボローラ制御装置２００からのインキツボローラの回転量受信完了信号を受けて（ステップＳ２５２のＹＥＳ）、インキ呼び出し装置２７に動作信号を出力し（ステップＳ２５３）、インキ呼び出しローラ５の呼び出し動作を開始させる。
【０１１１】
また、ＣＰＵ１０は、メモリＭ５より印刷速度Ｖｐを読み出し（ステップＳ２５４）、原動モータドライバ２２にＤ／Ａ変換器２４を介して回転指令を出力し（ステップＳ２５５）、印刷機の速度を印刷速度Ｖｐとする。また、給紙装置３３に給紙指令を出力し（ステップＳ２５６）、印刷機への給紙を開始する。また、印刷ユニット３４に印刷指令を出力するとともに（ステップＳ２５７）、インキ着ローラ着脱用エアシリンダ用バルブ３６に着信号を出力し（ステップＳ２５８）、インキ着ローラ６−１〜６−４を着とし、刷版７を用いての印刷（再試刷り）を開始させる。
【０１１２】
このようにして、予備呼び出しによってインキ膜厚分布の修正が速く行われ、その後、予備呼び出し後の印刷時の開き量に再設定され、印刷中（再試刷り中）に、インキローラ群６に補正されたインキ膜厚分布Ｍｄ’（図８（ｇ））が速やかに形成されるものとなる。
【０１１３】
ＣＰＵ１０は、この再試刷りを印刷機の回転回数がメモリＭ１中の試刷り枚数Ｐｘに達するまで続ける（図２６：ステップＳ２５９〜Ｓ２６３）。そして、印刷機の回転回数カウント用カウンタ２６のカウント値が試刷り枚数Ｐｘに達した時点で（ステップＳ２６３のＹＥＳ）、給紙装置３３に給紙停止指令を出力し、給紙を停止させる（ステップＳ２６４）。また、インキ着ローラ着脱用エアシリンダ用バルブ３６に脱信号を出力し（ステップＳ２６５）、インキ着ローラ６−１〜６−４を脱とする。また、印刷ユニット３４に印刷停止指令を出力すると共に（ステップＳ２６６）、原動モータドライバ２２に停止指令を出力し（ステップＳ２６７）、印刷機を停止させる。
【０１１４】
〔本刷り〕
オペレータは、刷り上がった印刷物の濃度に問題がなければ、印刷開始スイッチ２０をオンとする。なお、刷り上がった印刷物の濃度に問題があれば、上述した濃度測定（ステップＳ１５６〜Ｓ１８５）、濃度の修正（ステップＳ１８７〜Ｓ２４９）、再試刷り（Ｓ２５０〜Ｓ２６７）を繰り返す。
【０１１５】
ＣＰＵ１０は、印刷開始スイッチ２０がオンとされると（図１５：ステップＳ２６８のＹＥＳ）、メモリＭ１１に格納されているインキツボローラの回転量を読み出し（ステップＳ２６９）、その読み出したインキツボローラの回転量をインキツボローラ制御装置２００に送信する（ステップＳ２７０）。そして、インキツボローラ制御装置２００からのインキツボローラの回転量受信完了信号を受けて（ステップＳ２７１のＹＥＳ）、インキ呼び出し装置２７に動作信号を出力し（ステップＳ２７２）、インキ呼び出しローラ５の呼び出し動作を開始させる。
【０１１６】
また、ＣＰＵ１０は、メモリＭ５より印刷速度Ｖｐを読み出し（ステップＳ２７３）、原動モータドライバ２２にＤ／Ａ変換器２４を介して回転指令を出力し（ステップＳ２７４）、印刷機の速度を印刷速度Ｖｐとする。また、給紙装置３３に給紙指令を出力し（ステップＳ２７５）、印刷機への給紙を開始する。また、印刷ユニット３４に印刷指令を出力するとともに（ステップＳ２７６）、インキ着ローラ着脱用エアシリンダ用バルブ３６に着信号を出力し（ステップＳ２７７）、インキ着ローラ６−１〜６−４を着とし、刷版７を用いての印刷（本刷り）を開始させる。これにより、再試刷りによって満足できる印刷物が得られた状態で、本刷りが行われる。
【０１１７】
〔インキツボローラ制御装置〕
図２７にインキツボローラ制御装置２００の内部構成の概略を示す。インキツボローラ制御装置２００は、ＣＰＵ２０１、ＲＡＭ２０２、ＲＯＭ２０３、インキツボローラ駆動用モータ２０４、インキツボローラ駆動用モータドライバ２０５、インキツボローラ駆動用モータ用ロータリーエンコーダ２０６、入出力インターフェイス（Ｉ／Ｏ，Ｉ／Ｆ）２０７，２０８、メモリ２０９，２１０を備えており、インターフェイス２０７を介してインキ供給量制御装置１００と接続されている。メモリ２０９には受信したインキツボローラの回転量が記憶される。メモリ２１０には目標とするインキツボローラの回転量が記憶される。
【０１１８】
ＣＰＵ２０１は、インキ供給量制御装置１００よりインキツボローラの回転量が送られてくると（図２８：ステップＳ３０１のＹＥＳ）、その受信した回転量をメモリ２０９に記憶する（ステップＳ３０２）。また、インキ供給量制御装置１００に、インキツボローラの回転量受信完了信号を送信する（ステップＳ３０３）。また、受信したインキツボローラの回転量を目標とするインキツボローラの回転量（目標回転量）としてメモリ２１０に記憶する（ステップＳ３０４）。そして、メモリ２１０から目標回転量を読み出し（ステップＳ３０５）、インキツボローラ駆動用モータドライバ２０５へ送り、インキツボローラ駆動用モータ２０４の回転量を目標回転量に合わせ込む（ステップＳ３０６）。
【０１１９】
〔インキツボキー制御装置〕
図２９にインキツボキー制御装置３００（３００−１〜３００−ｎ）の内部構成の概略を示す。インキツボキー制御装置３００は、ＣＰＵ３０１、ＲＡＭ３０２、ＲＯＭ３０３、インキツボキー駆動用モータ３０４、インキツボキー駆動用モータドライバ３０５、インキツボキー駆動用モータ用ロータリーエンコーダ３０６、カウンタ３０７、入出力インターフェイス（Ｉ／Ｏ，Ｉ／Ｆ）３０８，３０９、メモリ３１０〜３１３を備えており、インターフェイス３０８を介してインキ供給量制御装置１００と接続されている。メモリ３１０には受信したインキツボキーの開き量が記憶される。メモリ３１１には目標とするインキツボキーの開き量が記憶される。メモリ３１２にはカウンタ３０７のカウント値が記憶される。メモリ３１３には現在のインキツボキーの開き量が記憶される。
【０１２０】
ＣＰＵ３０１は、インキ供給量制御装置１００よりインキツボキーの開き量が送られてくると（図３０：ステップＳ４０１のＹＥＳ）、その受信した開き量をメモリ３１０に記憶するとともに（ステップＳ４０２）、インキ供給量制御装置１００にインキツボキーの開き量受信完了信号を送信する（ステップＳ４０３）。また、受信したインキツボキーの開き量を目標とする開き量としてメモリ３１１に記憶する（ステップＳ４０４）。
【０１２１】
そして、カウンタ３０７のカウント値を読み取ってメモリ３１２に記憶し（ステップＳ４０５）、この読み取ったカウンタ３０７のカウント値より現在のインキツボキーの開き量を求めてメモリ３１３に記憶し（ステップＳ４０６）、メモリ３１１から目標とするインキツボキーの開き量を読み出し（ステップＳ４０７）、現在のインキツボキーの開き量が目標とする開き量と同じであれば（ステップＳ４０８のＹＥＳ）、直ちにステップＳ４１７（図３１）へ進み、インキ供給量制御装置１００へインキツボキーの開き量の設定完了信号を出力する。
【０１２２】
現在のインキツボキーの開き量が目標とする開き量と同じでない場合には（ステップＳ４０８のＮＯ）、現在のインキツボキーの開き量が目標とする開き量と同じになるまでインキツボキー駆動用モータ３０４を駆動した後（図３１：ステップＳ４０９〜Ｓ４１６）、インキ供給量制御装置１００へインキツボキーの開き量の設定完了信号を出力する（ステップＳ４１７）。
【０１２３】
すなわち、現在のインキツボキーの開き量が目標とする開き量よりも小さい場合には（ステップＳ４０９のＹＥＳ）、インキツボキー駆動用モータドライバ３０５に正転指令を送り（ステップＳ４１０）、カウンタ３０７よりカウント値を読み出して（ステップＳ４１２）、そのカウント値より現在のインキツボキーの開き量を演算し（ステップＳ４１３）、メモリ３１１から目標とするインキツボキーの開き量を読み出し（ステップＳ４１４）、現在のインキツボキーの開き量が目標とするインキツボキーの開き量と一致するまで（ステップＳ４１５のＹＥＳ）、ステップＳ４１２〜Ｓ４１５の処理動作を繰り返す。
【０１２４】
また、現在のインキツボキーの開き量が目標とする開き量よりも大きい場合には（ステップＳ４０９のＮＯ）、インキツボキー駆動用モータドライバ３０５に逆転指令を送り（ステップＳ４１１）、カウンタ３０７よりカウント値を読み出して（ステップＳ４１２）、そのカウント値より現在のインキツボキーの開き量を演算し（ステップＳ４１３）、メモリ３１１から目標とするインキツボキーの開き量を読み出し（ステップＳ４１４）、現在のインキツボキーの開き量が目標とするインキツボキーの開き量と一致するまで（ステップＳ４１５のＹＥＳ）、ステップＳ４１２〜Ｓ４１５の処理動作を繰り返す。
【０１２５】
そして、ステップＳ４１５において現在のインキツボキーの開き量が目標とするインキツボキーの開き量と一致すれば（ステップＳ４１５のＹＥＳ）、インキツボキー駆動用モータドライバ３０５に停止指令を出力し（ステップＳ４１６）、インキ供給量制御装置１００へインキツボキーの開き量の設定完了信号を出力する（ステップＳ４１７）。
【０１２６】
インキ供給量制御装置１００へインキツボキーの開き量の設定完了信号を出力すると（ステップＳ４１７）、ＣＰＵ３０１は、インキ供給量制御装置１００からの全インキツボキーの開き量設定完了信号を受信した時点で（ステップＳ４１８のＹＥＳ）、インキ供給量制御装置１００へのインキツボキーの開き量の設定完了信号の出力を停止する（ステップＳ４１９）。
【０１２７】
なお、上述した実施の形態では、ステップＳ１９２（図１９）において、前記（１）式で示したように、各インキツボキーの予備呼出し時の開き量θN’の算出に際して各インキツボキーに対応する範囲の絵柄面積率ＳNを用いるようにしたが、各インキツボキーに対応する範囲の絵柄面積率ＳNに代えて、各インキツボキーに対応する範囲の絵柄面積を用いるようにしてもよく、各インキツボキーの現在の開き量を用いるようにしてもよい。
【０１２８】
また、ステップＳ１９３（図１９）において、前記（２）式で示しように、各インキツボキーの修正した開き量（予備呼出し後の印刷時の開き量）θN”の算出に際して各インキツボキーに対応する範囲の絵柄面積率ＳNを用いるようにしたが、各インキツボキーに対応する範囲の絵柄面積率ＳNに代えて、各インキツボキーに対応する範囲の絵柄面積を用いるようにしてもよく、各インキツボキーの現在の開き量を用いるようにしてもよい。
【０１２９】
例えば、各インキツボキーの現在の開き量を用いる場合には、インキツボキーの現在の開き量をθNとし、下記（３）式を用いて、各インキツボキーの予備呼出し時の開き量θN’を求めるようにし、下記（４）式を用いて、各インキツボキーの修正した開き量（予備呼出し後の印刷時の開き量）θN”を求めるようにする。
【０１３０】
θN’＝α・ΔＤN・θN・β  ・・・・（３）
θN”＝θN−α・ΔＤN・θN  ・・・・（４）
【０１３１】
また、上述した実施の形態では、上流側のローラ小群６Ａに対してインキ掻き取りブレード３０とインキ受け５２とによって構成されるインキ除去装置を設けるようにしたが、スクレイパーでインキを掻き取るなどして、上流側のローラ小群６Ａ内のインキを除去するようにしてもよい。
【０１３２】
また、上述した実施の形態では、インキローラ群６を上流側のローラ小群６Ａと下流側のローラ小群６Ｂとに２分割するようにしたが（ローラ６Ｃも含めれば厳密には３分割）、３分割したり、４分割したりするなど、さらに多くのローラ小群に分割するようにしてもよい。また、その場合、分割されたローラ小群のうちの一部のローラ小群内のインキを除去するようにするが、一部のローラ小群であればその数は複数であってもよい。
【０１３３】
また、上述した実施の形態では、揺動アーム５１を用いてインキローラ群６を分割・連結するようにしたが、インキローラ群６を分割・連結する機構は揺動アームを用いた機構に限られるものでないことは言うまでもない。
【０１３４】
また、上述した実施の形態では、試刷り中にインキローラ群６のインキ膜厚分布を補正する場合について説明したが、本刷り中であっても同様にして、インキローラ群６のインキ膜厚分布を補正することが可能である。
【産業上の利用可能性】
【０１３５】
本発明のインキ膜厚分布の補正方法および装置は、試刷り中又は本刷り中に、インキ供給装置におけるインキローラ群のインキ膜厚分布を補正するインキ膜厚部分の補正方法および装置として、輪転印刷機など各種の印刷機に適用することが可能である。
【符号の説明】
【０１３６】
１…インキツボ、２…インキ、３…インキツボローラ、４（４−１〜４−ｎ）…インキツボキー、５…インキ呼び出しローラ、６…インキローラ群、６−１〜６−４…インキ着ローラ、６Ａ…上流側のローラ小群、６Ｂ…下流側のローラ小群、６Ａ１，６Ａ２，６Ｂ１，６Ｃ…ローラ、７…刷版、８…版胴、１０…ＣＰＵ、１１…ＲＡＭ、１２…ＲＯＭ、１３…入力装置、１４…表示器、１５…出力装置（プリンタ等）、１６…プリセット開始スイッチ、１７…試刷り開始スイッチ、１８…濃度測定スイッチ、１９…濃度修正スイッチ、２０…印刷開始スイッチ、２１…印刷機の原動モータ、２２…原動モータドライバ、２３…原動モータ用ロータリーエンコーダ、２４…Ｄ／Ａ変換器、２５…印刷機の原点位置検出器、２６…印刷機の回転回数カウント用カウンタ、２７…インキ呼び出し装置、２８…ローラ群分割・連結用エアシリンダ、２９…ローラ群分割・連結用エアシリンダ用バルブ、３０…インキ掻き取りブレード、３１…インキ掻き取りブレード着脱用エアシリンダ、３２…インキ掻き取りブレード着脱用エアシリンダ用バルブ、３３…給紙装置、３４…印刷ユニット、３５…インキ着ローラ着脱用エアシリンダ、３６…インキ着ローラ着脱用エアシリンダ用バルブ、３７…試刷り枚数設定器、３８…インキ掻き取り時の回転回数設定器、４０…予備呼び出し動作時の回転回数設定器、４１…印刷速度設定器、４２…メモリ、４３…測色計、４４…測色計移動用モータ、４５…測色計移動用モータ用ロータリーエンコーダ、４６…測色計移動用モータドライバ、４７…測色計の現在位置検出用カウンタ、４８…Ａ／Ｄ変換器、４９…測色計原点位置検出器、５０−１〜５０−１３…入出力インターフェイス（Ｉ／Ｏ，Ｉ／Ｆ）、５１…揺動アーム、５２…インキ受け、Ｍ１〜Ｍ２２…メモリ、１００…インキ供給量制御装置、２００…インキツボローラ制御装置、２０１…ＣＰＵ、２０２…ＲＡＭ、２０３…ＲＯＭ、２０４…インキツボローラ駆動用モータ、２０５…インキツボローラ駆動用モータドライバ、２０６…インキツボローラ駆動用モータ用ロータリーエンコーダ、２０７，２０８…入出力インターフェイス（Ｉ／Ｏ，Ｉ／Ｆ）、２０９，２１０…メモリ、３００（３００−１〜３００−ｎ）…インキツボキー制御装置、３０１…ＣＰＵ、３０２…ＲＡＭ、３０３…ＲＯＭ、３０４…インキツボキー駆動用モータ、３０５…インキツボキー駆動用モータドライバ、３０６…インキツボキー駆動用モータ用ロータリーエンコーダ、３０７…カウンタ、３０８，３０９…入出力インターフェイス（Ｉ／Ｏ，Ｉ／Ｆ）、３１０〜３１３…メモリ。
【図１】
2014094525.tif 000003
【図２】
2014094525.tif 000004
【図３】
2014094525.tif 000005
【図４】
2014094525.tif 000006
【図５】
2014094525.tif 000007
【図６】
2014094525.tif 000008
【図７】
2014094525.tif 000009
【図８】
2014094525.tif 000010
【図９】
2014094525.tif 000011
【図１０】
2014094525.tif 000012
【図１１】
2014094525.tif 000013
【図１２】
2014094525.tif 000014
【図１３】
2014094525.tif 000015
【図１４】
2014094525.tif 000016
【図１５】
2014094525.tif 000017
【図１６】
2014094525.tif 000018
【図１７】
2014094525.tif 000019
【図１８】
2014094525.tif 000020
【図１９】
2014094525.tif 000021
【図２０】
2014094525.tif 000022
【図２１】
2014094525.tif 000023
【図２２】
2014094525.tif 000024
【図２３】
2014094525.tif 000025
【図２４】
2014094525.tif 000026
【図２５】
2014094525.tif 000027
【図２６】
2014094525.tif 000028
【図２７】
2014094525.tif 000029
【図２８】
2014094525.tif 000030
【図２９】
2014094525.tif 000031
【図３０】
2014094525.tif 000032
【図３１】
2014094525.tif 000033
【図３２】
2014094525.tif 000034
【図３３】
2014094525.tif 000035
【図３４】
2014094525.tif 000036